(57)【要約】      （修正有）【課題】ユーザにより元データに関連付けられた関連データが呼び出され、閲覧された場合において、前記関連データを最適な状態にする。【解決手段】表示システム１００は、ディジタル著作権管理された元データにオブジェクトを含んだ関連データを重畳して描画を実行する表示制御部４を有する表示装置１（タブレット端末）と、関連データにおいて描画されたオブジェクトの位置情報を、元データの改版内容に基づいて編集する演算処理部１７を有する演算処理装置１１（配信サーバ）と、を備える。【選択図】図１２
2020109565.tif 000002
【特許請求の範囲】
【請求項１】
ディジタル著作権管理された元データにオブジェクトを含んだ関連データを重畳して描画を実行する表示制御部を有する表示装置と、
前記関連データにおいて描画された前記オブジェクトの位置情報を、前記元データの改版内容に基づいて編集する演算処理部を有する演算処理装置と、
を備えた表示システム。
【請求項２】
前記演算処理部は、前記改版内容が文書の追加に該当する場合、前記文書の追加量分、前記オブジェクトの位置情報を移動させる移動処理を実行することにより前記関連データを編集する
請求項１に記載の表示システム。
【請求項３】
前記演算処理部は、前記改版内容が文書の追加に該当し、前記文書の追加量分、前記オブジェクトの位置情報を移動させる移動処理を実行することにより前記関連データを編集する場合、
前記文書の追加量に対応して、前記文書を構成する文字において前記オブジェクトが存在しない文字が生じてしまう場合、当該文字に対応する前記オブジェクトを移動させて前記オブジェクトの変形処理を実行する
請求項２に記載の表示システム。
【請求項４】
前記演算処理部は、前記元データに改版がされているか否かの判定を実行し、改版がされている場合、前記関連データの前記オブジェクトを編集する
請求項１から請求項３いずれか一項に記載の表示システム。
【請求項５】
前記演算処理部は、前記改版内容および改版がされた日時を表す改版履歴を含むログデータを管理し、
前記元データに、前記ログデータにおける改版内容に対応する改版がされている場合、前記関連データの前記オブジェクトを編集する
請求項１から請求項４いずれか一項に記載の表示システム。
【請求項６】
表示制御部は、ディジタル著作権管理された元データにオブジェクトを含んだ関連データを重畳して描画を実行し、
演算処理部は、前記関連データにおいて描画された前記オブジェクトの位置情報を、前記元データの改版内容に基づいて編集する、
表示システムの制御方法。
【請求項７】
ディジタル著作権管理された元データにオブジェクトを含んだ関連データを重畳して描画を実行する表示制御部を有する表示装置であって、
前記関連データにおいて描画されたオブジェクトの位置情報を、前記元データの改版内容に基づいて編集する演算処理装置に対して、
前記表示制御部は、編集後の関連データおよび改版後の元データから構成される描画データの送信を要求し、受信した前記描画データに応じて、前記編集後の関連データを前記改版後の元データに重畳して描画を実行する表示装置。
【請求項８】
ディジタル著作権管理された元データにオブジェクトを含んだ関連データを重畳して描画を実行する表示制御部を有する表示装置の制御方法であって、
前記関連データにおいて描画されたオブジェクトの位置情報を、前記元データの改版内容に基づいて編集する演算処理装置に対して、
前記表示制御部は、編集後の関連データおよび改版後の元データから構成される描画データの送信を要求し、受信した前記描画データに応じて、前記編集後の関連データを前記改版後の元データに重畳して描画を実行する表示装置の制御方法。
【発明の詳細な説明】
【技術分野】
【０００１】
本発明は、表示システム、表示システムの制御方法、表示装置、及び表示装置の制御方法に関する。
【背景技術】
【０００２】
近年、タブレット端末等を活用した電子書籍等コンテンツの利用が普及している。
前記コンテンツは、公開元によるＤＲＭ(ディジタル著作権管理)を用いたプロテクトがなされていることが一般的であり、この場合、コンテンツのコピーやデータ（元データ）に直接的な編集はできないことが多い。
【０００３】
しかし、電子書籍のようなコンテンツに対してハイライトやメモ書き用のツールの利用を望むユーザが存在するに伴い、前記ツールを利用するために別のデータ（関連データ）を用意し、元データの上にオンスクリーンディスプレイの要領で関連データを重畳させる。
【０００４】
ユーザはタッチペン等で前記関連データに操作を行い、元データと関連データは関連付けなる処理を行っておけば、以後データの呼出し時に関連付けされた関連データ（レイヤ）を動的に重畳させ、ユーザはデータ自体に改編のないコメントが記載されているデータを参照することが可能となる。かかる技術として、例えば特許文献１が開示されている。
【先行技術文献】
【特許文献】
【０００５】
【特許文献１】特開２０１１−０９５８４７号公報
【発明の概要】
【発明が解決しようとする課題】
【０００６】
しかしながら、特許文献１によれば、元データとその関連データを保存した後、元データが改版、及びデータの内容が変更され、ユーザにより描画されたオブジェクトの位置に相当する元データの文字もしくは画像が移動している場合がある。
【０００７】
かかる場合の後、ユーザが関連データを呼出して元データに重畳すると、期待しない文字や画像を対象にオブジェクトが描画されている状態となる恐れがある。
従って、ユーザにより描画されたオブジェクトの位置情報に係る元データの改版がなされた場合、オブジェクトの編集処理が求められる。
【０００８】
すなわち、本発明は、上記の点に鑑みてなされたものであり、主たる目的は、ユーザにより元データに関連付けられた関連データが呼び出され、閲覧された場合において、前記関連データを最適な状態にすることを可能とすることにある。
【課題を解決するための手段】
【０００９】
上記課題を解決するため、本発明の一態様は、ディジタル著作権管理された元データにオブジェクトを含んだ関連データを重畳して描画を実行する表示制御部を有する表示装置と、前記関連データにおいて描画された前記オブジェクトの位置情報を、前記元データの改版内容に基づいて編集する演算処理部を有する演算処理装置と、を備えた表示システムである。
【００１０】
また、本発明の一態様は、表示制御部は、ディジタル著作権管理された元データにオブジェクトを含んだ関連データを重畳して描画を実行し、演算処理部は、前記関連データにおいて描画された前記オブジェクトの位置情報を、前記元データの改版内容に基づいて編集する、表示システムの制御方法である。
【００１１】
また、本発明の一態様は、ディジタル著作権管理された元データにオブジェクトを含んだ関連データを重畳して描画を実行する表示制御部を有する表示装置であって、前記関連データにおいて描画されたオブジェクトの位置情報を、前記元データの改版内容に基づいて編集する演算処理装置に対して、前記表示制御部は、編集後の関連データおよび改版後の元データから構成される描画データの送信を要求し、受信した前記描画データに応じて、前記編集後の関連データを前記改版後の元データに重畳して描画を実行する表示装置である。
【００１２】
また、本発明の一態様は、ディジタル著作権管理された元データにオブジェクトを含んだ関連データを重畳して描画を実行する表示制御部を有する表示装置の制御方法であって、前記関連データにおいて描画されたオブジェクトの位置情報を、前記元データの改版内容に基づいて編集する演算処理装置に対して、前記表示制御部は、編集後の関連データおよび改版後の元データから構成される描画データの送信を要求し、受信した前記描画データに応じて、前記編集後の関連データを前記改版後の元データに重畳して描画を実行する表示装置の制御方法である。
【発明の効果】
【００１３】
本発明の各態様によれば、関連データにおけるユーザが描画したオブジェクトの位置情報は、元データの改版内容に基づいて然るべく編集されるため、ユーザにより元データに関連付けられた関連データが呼び出され、閲覧された場合において、前記関連データを最適な状態にすることが可能となる。
【図面の簡単な説明】
【００１４】
【図１】本発明におけるタブレット端末の装置構成例を示すブロック図である。
【図２】本発明における配信サーバの装置構成例を示すブロック図である。
【図３】本発明の表示システムを説明するための概略構成図である。
【図４】本発明の実施例において、各部が行う処理の流れを示すフローチャートである。
【図５】ユーザの描画操作中における関連付け処理を説明するための図である。
【図６】改版履歴と改版内容のログデータを説明するための図である。
【図７】改版ログに基づいた元データの変遷図である。
【図８】改版内容に基づいた関連データの編集図（１）である。
【図９】改版内容に基づいた関連データの編集図（２）である。
【図１０】本発明の移動処理実施の有無に基づく編集前データと編集後データとの各イメージ図である。
【図１１】本発明の変形処理実施の有無に基づく編集前データと編集後データとの各イメージ図である。
【図１２】本実施形態の表示システムの主要な構成を示す図である。
【発明を実施するための形態】
【００１５】
（本発明の基本構成）
以下、図1，２，３を用いて本発明の基本構成を説明する。図１は、本発明におけるタブレット端末の装置構成例を示すブロック図である。また、図２は、本発明における配信サーバの装置構成例を示すブロック図である。また、図３は、本発明の表示システムを説明するための概略構成図である。
図３は、タブレット端末Ａと、インターネットＢと、配信サーバＣと、クラウド管理システムを表しており、このうち、タブレット端末Ａと配信サーバＣとが、本発明の表示システムを表している。
図１は、図３に示すタブレット端末Ａをタブレット端末１（表示装置）として示している。また、図２は、図３に示す配信サーバＣを配信サーバ１１（演算処理装置）として示している。
なお、以下の説明では、タブレット端末１、配信サーバ１１各々を構成する各装置（各部）について、図１及び図２において使用されている符号を用いて説明をする。例えば、図１に示す装置２は表示部２として、図１に示す装置１７は演算処理部１７として説明する。
【００１６】
タブレット端末１は、表示部２、電源部５、制御部６、画像処理部７、無線ＬＡＮ通信部８、および記憶部１０を含んで構成される。ここで、表示部２は、操作受付部３、および表示制御部４を有する。また、無線ＬＡＮ通信部８は、データ受信部９を有する。
一方、配信サーバ１１は、無線ＬＡＮ通信部１２、制御部１５、電源部１６、演算処理部１７、および記憶部１８を含んで構成される。ここで、無線ＬＡＮ通信部１２は、データ受信部１３、および認証部１４を有する。また、記憶部１８は、パッケージ管理データベース１９、およびユーザデータベース２０を有する。
【００１７】
本発明の実施時、ユーザによりタブレット端末１（図３に示すタブレット端末Ａ）の電源を入れる操作が行われたことを制御部６により制御し、電源を入れる命令を電源部５に対して伝送する。
タブレット端末１の電源がスイッチオンした後、ユーザが表示部２に対して電子書籍の配信サーバである配信サーバ１１（図３に示す配信サーバＣ）にアクセスする操作を行う。
これらの操作は、表示制御部４が表示を制御するＧＵＩを表示部２で表示し、ユーザの操作を操作受付部３が判定する。
前記操作を受け付けた操作受付部３が、制御部６を介して無線ＬＡＮ通信部８を制御し、図３に示すインターネットＢを経由して配信サーバ１１にアクセスする。
【００１８】
アクセス後、配信サーバ１１は、認証用のＩＤを演算処理部１７で生成し、制御部１５を介して無線ＬＡＮ通信部１２からタブレット端末１の無線ＬＡＮ通信部８に対して要求する。
【００１９】
タブレット端末１においては、ユーザは、要求内容をデータ受信部９で受信し、表示制御部４でＩＤを入力するＧＵＩを表示部２に表示する。
ＩＤの入力完了後、無線ＬＡＮ通信部８から配信サーバ１１のデータ受信部１３に対して送信する。
【００２０】
配信サーバ１１においては、入力されたＩＤに対する判定をデータ受信部１３で完了後、アクセス制限を解除した内容で応答を返す。
【００２１】
タブレット端末１においては、応答を受信したタブレット端末１に対するユーザの操作により、ユーザが所望するデータのパッケージを選択する操作を行う。
選択されたパッケージの内容をタブレット端末１から配信サーバ１１に送信する。
【００２２】
配信サーバ１１は、パッケージ管理データベース１９のパッケージ管理ツールから、クラウドが管理する元データのアドレスを取得し、ユーザデータベース２０からユーザのＩＤを利用して関連タグの有無を確認した後、図３に示すクラウド管理システムＤに対して問い合わせを行う。
【００２３】
クラウド管理システムＤは、配信サーバである配信サーバ１１からの問い合わせに応じて、自身の保有するデータベースにＳＱＬ等の手段により該当データの検索を開始する。
検索後、該当データの呼出し処理を行い、前記データを配信サーバ１１に対して送信する。
【００２４】
さらに、前記データを受信した配信サーバ１１は、当該データの改版履歴と改版内容を確認する。確認後、本発明である関連データに対する編集が必要であれば、改版内容に基づいて演算処理部１７で編集処理を行う。これの完了後、タブレット端末１に対して当該データを送信する。
【００２５】
（本発明の実施例）
続いて、本発明の実施例について、図４〜図１１を用いて説明する。
図４は、本発明の実施例において、各部が行う処理の流れを示すフローチャートである。また、図５は、ユーザの描画操作中における関連付け処理を説明するための図である。また、図６は、改版履歴と改版内容のログデータを説明するための図である。また、図７は、改版ログに基づいた元データの変遷図である。また、図８は、改版内容に基づいた関連データの編集図（１）である。また、図９は、改版内容に基づいた関連データの編集図（２）である。また、図１０は、本発明の移動処理実施の有無に基づく編集前データと編集後データとの各イメージ図である。また、図１１は、本発明の変形処理実施の有無に基づく編集前データと編集後データとの各イメージ図である。
【００２６】
まず、ユーザが操作するタブレット端末１(クライアント)は、本発明における描画処理のスタンバイ状態である（ステップＳ０１）。
【００２７】
ユーザにより描画処理開始の操作がなされたか判定を行う（ステップＳ０２）。具体的には、タブレット端末１における操作受付部３が、操作がされたことを判定する。なお、前記操作は、例えば任意のインターフェースから、或いは他のタブレット端末から、ユーザに対して描画処理開始の有無を問いかけるものに対応して行われる操作である。
【００２８】
ステップＳ０２において、ユーザが描画処理を開始する操作を行った場合（ステップＳ０２−Ｙｅｓ）、すでにインストールした元データに対して、同じく既にインストールした関連データを重畳させる処理を行う（ステップＳ０３）。具体的には、表示制御部４が、画像処理部７の制御により、記憶部１０にインストールされている元データに対して、同じく記憶部１０にインストールされている関連データを重畳させる処理を行う。
【００２９】
ステップＳ０３で重畳した関連データに対してユーザにより描画が行われる（ステップＳ０４）。このステップで描画したオブジェクトを保存した後、次回以降当該文書を呼び出す際、場合により、後述するステップＳ１0で関連データ上のオブジェクトの移動および変形処理が行われる。
【００３０】
例えば図５の文字Ａ，Ｂ，Ｃ，Ｄに対する下線のようなオブジェクトの描画が行われていたとする。
この場合、ユーザは文字Ａ，Ｂ，Ｃに対して描画を行ったつもりが、文字Ｄが位置するアドレスにまで描画が及んでいるため、オブジェクトの変形処理の際、期待しない文字Ｄまで移動、変形するため、本発明では、ユーザがオブジェクトの描画を行う際、図５のように描画に対応する元データの文字に網掛け、変色といったような処理を施す。正確には、関連データの当該位置に前記処理を施す。
前記処理は、元データにおける当該文字のアドレスを抽出し、関連データにおける前記アドレスに対して描画操作を行う際に、各文字のアドレスの始終点から、ユーザの描画するオブジェクトに対応する文字に対して、図５のような網掛け、変色処理を施すものである。
【００３１】
この時、文字Ｄが位置するアドレスの始終点において存在する描画オブジェクトが、半分に満たない場合、当該文字に対して描画オブジェクトは対応しないものと判定する。
前述した処理により、元データの文字と関連データの描画オブジェクトの関連付け処理を、画像処理部７により制御される表示制御部４が実施したものとする。
また、前述した処理によれば、ユーザは視覚的に自身の描画するオブジェクトが対応する元データの文字を把握することができるため、後に行うオブジェクトの移動、変形処理の正確性が向上する効果がある。
【００３２】
ステップＳ０４で描画した関連データの保存の有無をユーザに問いかける（ステップＳ０５）。具体的には、タブレット端末１の操作受付部３は、関連データの保存の有無を表示部２で表示し、ユーザの操作による関連データの保存の有無を判定する。そして、タブレット端末１は、保存する場合（ステップＳ０５−Ｙｅｓ）、ステップＳ０６に進行し、そうでなければ（ステップＳ０５−Ｎｏ）、ステップＳ０１に回帰する。
【００３３】
元データと関連データを保存して描画処理を終了する（ステップＳ０６）。
具体的には、ステップＳ０４において関連データを保存する操作が行われた場合、タブレット端末１（クライアント）から配信サーバ１１に対して、元データと関連データを送信し保存を要求する。
前記要求を受けた配信サーバ１１は、受信した元データと関連データを確認し、前記両データを一元化したデータ（描画データ）と、タブレット端末１（クライアント）のＩＤから関連タグを生成する。配信サーバ１１は、クラウドの管理システム（クラウド管理システムＤ）に対して前記タグを付加したデータを送信し、保存要求を行う。
この後にクラウドから保存完了の応答を待ち、前記応答を確認してタブレット端末１（クライアント）に保存完了の応答を返す。
タブレット端末１（クライアント）が前記応答を確認後、描画処理を終了する。
なお、前記関連タグの生成方法は一様でなく、クライアントの特定と元データ、関連データの関連付けが行えるものであれば良い。
【００３４】
ユーザが保存した関連データを呼び出すか否かの判定を行う（ステップＳ０７）。
具体的には、配信サーバ１１は、ステップＳ０６で各データの関連付け処理および保存処理が完了後、ユーザが前記保存した各データを呼び出す操作を行ったか判定を行う。そのため、配信サーバ１１は、タブレット端末１の操作受付部３に対して、ユーザが前記保存した各データを呼び出す操作を行ったかの問い合わせを送信し、問い合わせに対する返答を受信する。そして、配信サーバ１１は、ユーザが前記操作を行ったと判定した場合（ステップＳ０７−Ｙｅｓ）、ステップＳ０８に進行し、そうでなければ（ステップＳ０７−Ｎｏ）、ステップＳ０１に回帰する。
【００３５】
元データの改版履歴を確認する（ステップＳ０８）。
具体的には、配信サーバ１１が検索対象の各データをクラウド管理システムＤから受信した後、配信サーバ１１は、元データの改版履歴を確認する。
本処理に関して、配信サーバ１１は公開する元データの内容が公開後に改版された場合、改版履歴と改版内容を記録しておく必要がある。改版内容として、言語の表現変更、文書の削除あるいは追加といったように複数のケースが存在することが考えられるため、例えば図６に示すようなログ番号、改版がされた日時を表す改版履歴、および改版内容を有するログデータをコンテンツごとに配信サーバ１１あるいはクラウド（クラウド管理システムＤ）で管理する。
【００３６】
元データが改版されているか否かを判定する（ステップＳ０９）。
具体的には、図６に示すログデータから、配信サーバ１１は元データに改版がなされているか判定を行い、改版されている場合（ステップＳ０９−Ｙｅｓ）、ステップＳ１０に遷移し、改版されていない場合（ステップＳ０９−Ｎｏ）、ステップＳ１１に遷移する。
なお、改版の有無は、ユーザによる関連データの保存以降に記録された図６に示すログデータの有無に準ずる。また、本実施形態では、図６に示すログデータのログ番号１が記録されるより後の時点において、クライアントにより各データの保存がなされたものとする。そのため、これより後に改版された元データの内容の変遷は、図７（ａ）、図７（ｂ）に示すような関係、すなわちログ番号２の改版内容である文書の追加によるものとなる。
【００３７】
改版内容に基づき関連データの描画オブジェクトを編集する（ステップＳ１０）。
具体的には、配信サーバ１１の演算処理部１７は、図６に示すログデータと、ステップＳ０４で実施した元データの文字と関連データの描画オブジェクトの関連付け結果を確認し、関連データのオブジェクトを編集する。
編集内容は、図６に示すログデータにより、また管理者（配信サーバ１１）の裁量あるいはクライアント（タブレット端末１）の意向を汲むことが好ましいが、本実施形態での動作説明については、図６に示すログデータは文書の追加とあり、同図のアドレスを参照した結果、関連データに描画されたオブジェクトが重畳するアドレスと一致し、当該改版による文書の追加量分だけ移動しているため、前記移動の量を算出し、関連データに描画されたオブジェクトを図８に示すように同量且つ同方向に移動させる。
すなわち、演算処理部１７は、図７に示す文書における文字のアドレスを参照した結果により、関連データに描画されたオブジェクトを、図７に示す文書における文字の移動量と移動方向に対して、図８（ａ）、図８（ｂ）に示すように同量且つ同方向に移動させる。
【００３８】
なお、前記移動量は、フォントサイズに基づいた１フォントの移動量から算出する。例えば、１フォントが２４ｂｉｔ（３Ｂｙｔｅ）で表現されており１０文字の追加があった場合、さらに前記フォントが＋方向に移動する場合、下記式１のような計算式で算出する。
オブジェクトの移動量＝オブジェクトの現在位置アドレス>>２４ｂｉｔ×１０…（式1）
なお、（式１）における「>>」は、Ｃ言語の演算子において、右シフトを意味し、「a>>ｂ」は、aをbビット分、右へシフトさせることを意味する。
【００３９】
また、前記移動処理は本発明の特徴である処理の一例であり、例えば、元データの改版により、オブジェクトを描画した位置に存在する文字が移動した結果、段落を分かつ位置に点在した場合、当該オブジェクトの変形処理が必要となる。
この場合、１文字の表示領域は３Ｂｙｔｅであるため、図９（ａ）に示すようにオブジェクトを３Ｂｙｔｅで区切り、必要な分だけ段落後の文字にオブジェクトを移動させる。図９（ａ）は前記編集処理の実施前の状態であり、元データの改版後、文字Ｃのみ段落を分かつ位置に移動した。よって、演算処理部１７は、文字全体にかかるオブジェクトをＳ１〜Ｓ３に３Ｂｙｔｅずつ分割し、文字Ｃにかかる分割オブジェクトＳ３を、図９（ｂ）に示すように移動させる。前記移動の手段としては式１を用いる。
【００４０】
また、ユーザにより描画されたオブジェクトが末尾文字から以降の文字に意図せず及んだ場合、前記変形処理を実施すれば本来必要のない文字にまでオブジェクトを移動させる恐れがあるため、ユーザの描画したオブジェクトに対応する文字を、ユーザが描画中に把握し、さらに元データ、関連データの管理者も同様である。
従ってユーザの描画中にＳ１１にある処理を行ってもよい。
【００４１】
ステップＳ１０における関連データの描画オブジェクトの編集後、元データと前記関連データを重畳させた場合、本発明の実施例として、描画オブジェクトの移動処理は図１０（ｂ）に示すようなイメージとなる。図１０（ａ）は、本発明を実施しなかった場合のイメージであり、当該文字の移動にオブジェクトが伴わない状態となる。
また、他実施例として描画オブジェクトの変形処理は、図１１（ｂ）に示すようなイメージとなり、図１０（ａ）と同様に本発明を実施しなかった場合のイメージが図１１（ａ）である。
【００４２】
次に、図１２を参照して、本発明の実施形態の基本的構成例について説明する。図１２は、本実施形態の表示システムの主要な構成を示す図である。図１２に示す表示システム１００は、タブレット端末１（表示装置）と、配信サーバ１１（演算処理装置）と、を含んで構成されている。
タブレット端末１は、ディジタル著作権管理された元データにオブジェクトを含んだ関連データを重畳して描画を実行する表示制御部４を有する。
配信サーバ１１は、関連データにおいて描画されたオブジェクトの位置情報を、元データの改版内容に基づいて編集する演算処理部１７を有する。
【００４３】
また、演算処理部１７は、前記改版内容が文書の追加に該当する場合、前記文書の追加量分、前記オブジェクトの位置情報を移動させる移動処理を実行することにより前記関連データを編集する。
【００４４】
また、演算処理部１７は、前記改版内容が文書の追加に該当し、前記文書の追加量分、前記オブジェクトの位置情報を移動させる移動処理を実行することにより前記関連データを編集する場合、前記文書の追加量に対応して、前記文書を構成する文字において前記オブジェクトが存在しない文字が生じてしまう場合、当該文字に対応する前記オブジェクトを移動させて前記オブジェクトの変形処理を実行する。
【００４５】
この構成により、関連データにおけるユーザが描画したオブジェクトの位置情報は、元データの改版内容に基づいて然るべく編集されるため、ユーザにより元データに関連付けられた関連データが呼び出され、閲覧された場合において、前記関連データを最適な状態にすることが可能となる。
【００４６】
以上、この発明の実施形態について図面を参照して説明してきたが、具体的な構成は上記実施形態に限られるものではなく、この発明の要旨を逸脱しない範囲の設計等も含まれる。
【００４７】
例えば、図１２に示す表示システム１００の機能を実現するためのプログラムをコンピュータ読み取り可能な記録媒体に記録して、この記録媒体に記録されたプログラムをコンピュータシステムに読み込ませ、実行することにより、タブレット端末１（表示装置）と、配信サーバ１１（演算処理装置）と、が行う制御工程を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００４８】
１，Ａ…タブレット端末、１１，Ｃ…配信サーバ、Ｂ…インターネット、Ｄ…クラウド管理システム、４…表示制御部、１７…演算処理部
【図１】
2020109565.tif 000003
【図２】
2020109565.tif 000004
【図３】
2020109565.tif 000005
【図４】
2020109565.tif 000006
【図５】
2020109565.tif 000007
【図６】
2020109565.tif 000008
【図７】
2020109565.tif 000009
【図８】
2020109565.tif 000010
【図９】
2020109565.tif 000011
【図１０】
2020109565.tif 000012
【図１１】
2020109565.tif 000013
【図１２】
2020109565.tif 000014